(57)【特許請求の範囲】
【請求項１】
多数個の弾薬(2)を有する弾薬マガジン(1)のコンベアチェーンスプロケット(4)から送り出された弾薬(2)を火器(5)の間欠回転するスターホイール(7)の凹部(7a)に送り込むようにした機関砲の弾薬供給機構において、前記スターホイール(7)とコンベアチェーンスプロケット(4)との間に設けられ連続回転するアイドラスプロケット(20)を有するアイドラスプロケット軸(21)と、前記アイドラスプロケット(20)にばね(31)を介して接続され前記アイドラスプロケット(20)と共に回転する複数の爪(30)とを備え、前記各爪(30)は前記アイドラスプロケット軸(21)に対して摩擦結合による自由度を有する構成としたことを特徴とする機関砲の弾薬供給機構。
【発明の詳細な説明】
【０００１】
【発明の属する技術分野】
本発明は、機関砲の弾薬供給機構に関し、特に、連続回転する弾薬マガジンのコンベアチェーンスプロケットから間欠回転するスターホイールに弾薬を渡す際に、アイドラスプロケット軸に摩擦結合による自由度を有して設けられた爪を介して弾薬を渡すことにより、弾薬マガジン側のモータの負荷を軽減させるための新規な改良に関する。
【０００２】
【従来の技術】
従来、用いられていたこの種の機関砲の弾薬供給機構としては、図５に示される特開平２−１３３７９９号公報の構成を挙げることができる。
すなわち、図５において符号１で示されるものは多数個の弾薬２を有する弾薬マガジンであり、この弾薬マガジン１のモータ１Ａによるチェーン３で送られた弾薬２はコンベアチェーンスプロケット４を介して火器５の弾薬筒供給装置６に設けられたスターホイール７に渡されて火器５で発射される。
【０００３】
【発明が解決しようとする課題】
従来の機関砲の弾薬供給機構は、以上のように構成されていたため、次のような課題が存在していた。
すなわち、弾薬マガジンのコンベアチェーンスプロケットはモータによる連続駆動であるため、間欠駆動されるスターホイールに弾薬を受け渡すと、この受け渡しの際に連続回転のコンベアチェーンスプロケットには大きい力が加わると同時にモータにも大きい力が加わり、スターホイールが再び連続回転に変わった時に、モータに大きい衝撃が伝達されるため、弾薬間に意図的に遊隙を設けるなどの対策をとる必要があった。
【０００４】
本発明は、以上のような課題を解決するためになされたもので、特に、連続回転する弾薬マガジンのコンベアチェーンスプロケットから間欠回転するスターホイールに弾薬を渡す際に、アイドラスプロケット軸に自由度を有して設けられた爪を介して弾薬を渡すことにより、弾薬マガジン側のモータの負荷を平滑化させるようにした機関砲の弾薬供給機構を提供することを目的とする。
【０００５】
【課題を解決するための手段】
本発明による機関砲の弾薬供給機構は、多数個の弾薬を有する弾薬マガジンのコンベアチェーンスプロケットから送り出された弾薬を火器の間欠回転するスターホイールの凹部に送り込むようにした機関砲の弾薬供給機構において、前記スターホイールとコンベアチェーンスプロケットとの間に設けられ連続回転するアイドラスプロケットを有するアイドラスプロケット軸と、前記アイドラスプロケットにばねを介して接続され前記アイドラスプロケットと共に回転する複数の爪とを備え、前記爪は前記アイドラスプロケット軸に対して摩擦結合による自由度を有する構成である。
【０００６】
【発明の実施の形態】
以下、図面と共に本発明による機関砲の弾薬供給機構の好適な実施の形態について説明する。なお、従来例と同一又は同等部分には同一符号を付して説明する。
図１は本発明の構成の概略を示すもので、弾薬マガジン１のコンベアチェーンスプロケット４は駆動部１０のモータ１Ａによって連続駆動され、このコンベアチェーンスプロケット４に隣接して設けられたアイドラスプロケット２０及びアイドラスプロケット軸２１も同時に回転されている。
【０００７】
前記アイドラスプロケット２０に隣接して設けられ火器５を構成するスターホイール７は間欠機構２２を介して駆動部１０によって間欠駆動され、このスターホイール７は砲身２３に接続された回転薬室２４に接続されている。また、この回転薬室２４はランマ２５を介してカムドラム２６に接続されている。なお、図１の構成はアイドラスプロケット２０とアイドラスプロケット軸２１を除くと図５の従来構成と同一である。
【０００８】
前述のスターホイール７、アイドラスプロケット２０及びコンベアチェーンスプロケット４は、図２の矢印Ａ，Ｂ，Ｃで示される方向に各々回転するように構成されており、アイドラスプロケット軸２１に設けられた複数の爪３０は、ばね３１によってアイドラスプロケット２０に各々接続されると共に、アイドラスプロケット軸２１に対して摩擦結合による自由度を有している。なお、図４に示されるように、アイドラスプロケット軸２１は連続回転であるのに対し、スターホイール７は間欠駆動されている。
【０００９】
次に、動作について説明する。まず、弾薬マガジン１のコンベアチェーンスプロケット４の凹部４ａにより搬送された弾薬２は、アイドラスプロケット２０と共にばね３１を介して回転する爪３０の凹部３０ａに受け取られて回転搬送され、スターホイール７の凹部７ａ内に渡される。この場合、スターホイール７は間欠駆動されているため、爪３０の回転が停止され、アイドラスプロケット軸２１の回転によってアイドラスプロケット２０が回転するため、ばね３１が圧縮される。
【００１０】
前述の状態下で、弾薬２がスターホイール７から取り出されて火器５に転送されると、爪３０はばね３１の復元力によって元の位置に戻り、摩擦結合によってアイドラスプロケット２０及びアイドラスプロケット軸２１と共に回転する。
前述の状態をｍｓｅｃ単位で開示すると、図３に示される通りとなり、２５ｍｓｅｃから１００ｍｓｅｃの間に弾薬２がアイドラスプロケット２０の爪３０からスターホイール７の凹部７ａに搬送される。
【００１１】
【発明の効果】
本発明による機関砲の弾薬供給機構は、以上のように構成されているため、次のような効果を得ることができる。
すなわち、連続回転するコンベアチェーンスプロケットで送られた弾薬をアイドラスプロケット軸とは摩擦結合による自由度を有しばねを介して接続された爪で間欠駆動されるスターホイールに受け渡すため、間欠駆動されるスターホイールの停止動作を爪に与えることができ、爪はばねによって再び元の位置に急速に復帰することができ、モータの連続回転を継続することができ、モータの負荷を平滑化することができ、モータの寿命を大幅に延ばすことができる。
【図面の簡単な説明】
【図１】  本発明による機関砲の弾薬供給機構を示す概略構成図である。
【図２】  図１の要部を示す拡大図である。
【図３】  本発明の動作説明図である。
【図４】  本発明におけるアイドラスプロケット軸とスターホイールの動きを示す特性図である。
【図５】  従来の機関砲の弾薬供給機構を示す構成図である。
【符号の説明】
１    弾薬マガジン
２    弾薬
４    コンベアチェーンスプロケット
５    火器
２０    アイドラスプロケット
２１    アイドラスプロケット軸
３０    爪
３１    ばね
【図１】
0004034905.tif 000002
【図２】
0004034905.tif 000003
【図３】
0004034905.tif 000004
【図４】
0004034905.tif 000005
【図５】
0004034905.tif 000006